(57)【要約】【課題】光ディスク装置の置き姿勢にかかわらず、光ディスクを正確にセンタリング可能であり、チャッキング動作の信頼性が向上した光ディスク装置を提供する。【解決手段】シャーシ２０に配設され、光ディスクをセンタリング位置に誘導する第１のディスクガイド４１、第２のディスクガイド４２、第３のディスクガイド４３、第４のディスクガイド４４と、シャーシ２０に配設されたカム部材４７を有し、カム部材４７は、光ディスクがセンタリング位置に誘導された際、第３のディスクガイド４３及び第４のディスクガイド４４の少なくとも一方を係止して、光ディスク挿入方向側に移動することを規制し、光ディスクのチャッキング時に当該規制を解除する。【選択図】図３６
2010055717.tif 000002
【特許請求の範囲】
【請求項１】
筐体内に挿入され且つセンタリング位置に誘導された光ディスクをチャッキングし、情報の記録または再生を行う光ディスク装置であって、
前記筐体内に配設されたシャーシと、
前記シャーシに配設され、前記光ディスクの第１の位置を支持し、当該光ディスクをセンタリング位置に誘導する第１のディスクガイドと、
前記シャーシに配設され、前記光ディスクの前記第１の位置とは間隔をおいた第２の位置を支持し、当該光ディスクをセンタリング位置に誘導する第２のディスクガイドと、
前記シャーシに配設され、前記第１のディスクガイド及び第２のディスクガイドによって誘導された光ディスクの前記第１の位置よりも挿入方向側の第３の位置を支持し、当該第１のディスクガイド及び第２のディスクガイドと共に、当該光ディスクをセンタリング位置に誘導する第３のディスクガイドと、
前記シャーシに配設され、前記第１のディスクガイド及び第２のディスクガイドによって誘導された光ディスクの前記第２の位置よりも挿入方向側且つ前記第３の位置とは間隔をおいた第４の位置を支持し、当該第１のディスクガイド及び第２のディスクガイドと共に、当該光ディスクをセンタリング位置に誘導する第４のディスクガイドと、
前記シャーシに配設されたカム部材と、
を備え、
前記カム部材は、前記光ディスクがセンタリング位置に誘導された際、前記第３のディスクガイド及び第４のディスクガイドの少なくとも一方を係止して、光ディスク挿入方向側に移動することを規制し、前記光ディスクのチャッキング時に、当該規制を解除する光ディスク装置。
【請求項２】
前記カム部材は、前記光ディスクの挿入及び排出に伴って、シャーシの平面に沿って前記光ディスクの挿入方向に対し略垂直な方向に移動可能であり、当該カム部材の移動により、前記第３のディスクガイド及び第４のディスクガイドの少なくとも一方を係止し、当該カム部材は、前記光ディスクのチャッキング時に、さらに移動して前記規制を解除する請求項１記載の光ディスク装置。
【請求項３】
前記カム部材は、前記移動に伴って前記光ディスクのチャッキング及びチャッキングの解除を行う請求項２記載の光ディスク装置。
【請求項４】
前記第３のディスクガイドは、前記シャーシに対し回動することで、前記光ディスクをセンタリング位置に誘導し、前記カム部材には、前記第３のディスクガイドに形成された凸部を前記回動に伴って移動可能に挿入する孔が形成されてなり、
前記第３のディスクガイドは、前記光ディスクをセンタリング位置に誘導した際に、前記孔を画定する挿入方向側の縁部に当該凸部が係止される請求項１ないし請求項３のいずれか一項に記載の光ディスク装置。
【請求項５】
前記第４のディスクガイドは、前記シャーシに対し回動することで、前記光ディスクをセンタリング位置に誘導し、
前記カム部材には、前記第４のディスクガイドに形成された凸部を前記回動に伴って移動可能に挿入する孔が形成されてなり、
前記第４のディスクガイドは、前記光ディスクをセンタリング位置に誘導した際に、前記孔を画定する挿入方向側の縁部に当該凸部が係止される請求項１ないし請求項４のいずれか一項に記載の光ディスク装置。
【請求項６】
第１の径を有する第１の光ディスクと、当該第１の径よりも小さい第２の径を有する第２の光ディスクの両者に情報の記録または再生を行うことが可能であり、
前記孔は、前記第１の光ディスクをチャッキングした際に、前記凸部が受領される第１の分岐孔と、前記第２の光ディスクをチャッキングした際に、前記凸部が受領される第２の分岐孔とを備え、
前記凸部は、前記第１の光ディスクをセンタリング位置に誘導した際に、前記第１の分岐孔を画定する挿入方向側の縁部または当該縁部に連続する縁部に係止され、前記第２の光ディスクをセンタリング位置に誘導した際に、前記第２の分岐孔を画定する挿入方向側の縁部または当該縁部に連続する縁部に係止される請求項４または請求項５記載の光ディスク装置。
【請求項７】
前記第２のディスクガイドは、前記光ディスクの挿入方向と略垂直な方向に移動することで、前記第１の光ディスクをセンタリング位置に誘導し、
前記シャーシに、前記第２のディスクガイドの移動をロックするロック部材を配設し、当該ロック部材は、前記第１のディスクガイドの移動及び／または前記カム部材の移動に応じて、当該第２のディスクガイドの移動のロック及びロック解除を行う請求項２ないし請求項６のいずれか一項に記載の光ディスク装置。
【発明の詳細な説明】
【技術分野】
【０００１】
本発明は、光ディスクを挿入排出するためのスロットが装置本体に設けられ、当該光ディスクをローディング後、クランパにチャッキングして回転させ、当該光ディスクに情報を記録する及び／または当該光ディスクに記録された情報を再生する光ディスク装置に関する。
【背景技術】
【０００２】
従来、光ディスクを所定位置まで挿入すると、当該光ディスクを自動的に所定の処理位置までローディング（搬送）するスロットイン方式の光ディスク装置が知られている。このスロットイン方式の光ディスク装置内に挿入された光ディスクは、光ディスクの外周の側面の４つの位置、即ち、ディスク挿入方向前方の２位置と、ディスク挿入方向後方（奥側）の１位置と、挿入される光ディスクの横方向の１位置においてディスクガイド部材により支持された状態でその中心孔内にクランパの挿入が開始され、チャッキングされる構成とされている。このうち、特に、ディスク挿入方向のディスク外周の側面の２つの位置で光ディスクを支持する２個のディスクガイド部材は、それぞれが、ばねにより付勢された状態で該光ディスクを支持している。
【０００３】
近年では、直径が１２ｃｍの光ディスクと、直径が８ｃｍの光ディスクの両方が適用可能なスロットイン方式の光ディスク装置が紹介されている。このような光ディスク装置として、例えば、光ディスクを挿入排出するためのスロットと、当該スロットから光ディスク装置内に挿入された光ディスクを挿入方向にガイドするディスクガイド機構と、当該光ディスクを回転駆動させる駆動部と、前記スロットに挿入された光ディスクを前記駆動部に送るディスク送り機構とを備え、当該ディスク送り機構が、第１の光ディスクを送る場合にはその送り量を小さくし、前記第１の光ディスクよりも小径の第２の光ディスクを送る場合にはその送り量を大きくするように構成されたものがある。この光ディスク装置では、光ディスクのセンタリングを行う際に、前記ディスク送り機構の構成要素である２つのイジェクトアームの各々の先端によって、光ディスクの挿入方向側を支持している。（例えば、特許文献１参照）。
【０００４】
そしてまた、メインスライダーに複数種のカム溝を形成し、ディスク外径に応じた挿入時の引き込みレバーの回動量によってレバーピンをガイドするカム溝を自動選択することにより、引き込みレバーの回動量が切り替わるとともに、引き込みレバーと反対側のディスクガイド部もディスク外径によってその位置を可変動作させる光ディスク装置も紹介されている。（例えば、特許文献２参照）。
【０００５】
また、光ディスクの側面をガイドし、この光ディスクがチャッキングされるターンテーブルと同中心になる位置に、当該光ディスクをローディングさせ、またはその逆方向にアンローディングさせるレバー部材を備え、当該レバー部材が、前記光ディスクの直径に応じて互いに異なる軌跡を有するように動作し、多様な直径を有する光ディスクをローディング、又はアンローディングさせるようにした光ディスク装置も紹介されている。（例えば、特許文献３参照）。
【特許文献１】特開２００６−１２７６８０号公報
【特許文献２】特開２００７−２０７３０２号公報
【特許文献３】特開２００７−２２０２７７号公報
【発明の開示】
【発明が解決しようとする課題】
【０００６】
しかしながら、特許文献１に記載された光ディスク装置では、前記光ディスクのセンタリングを行う際に、前記各々のイジェクトアームが回動し、当該光ディスクをセンタリング位置に誘導するが、これらのイジェクトアームは、光ディスクがセンタリング位置よりも光ディスク挿入方向側に移動することを阻止するための工夫がなされておらず、センタリングの信頼性を損なう虞がある。特に、例えば、光ディスク挿入方向の右奥側あるいは左奥側を下にして載置される縦置き姿勢の光ディスク装置の場合、挿入された光ディスクが、自重により光ディスク装置の下側に移動し易くなり、クランパによる正常なチャッキングが行えなくなる虞もある。
【０００７】
また、特許文献２及び３に記載された光ディスク装置も同様に、光ディスクがセンタリング位置よりも光ディスク挿入方向側に移動することを阻止するための工夫がなされておらず、センタリングの信頼性を損なう虞がある。
【０００８】
本発明は、このような事情に鑑みなされたものであり、光ディスク装置の置き姿勢にかかわらず、光ディスクを正確にセンタリング可能であり、チャッキング動作の信頼性が向上した光ディスク装置を提供することを目的とする。
【課題を解決するための手段】
【０００９】
この目的を達成するため本発明は、筐体内に挿入され且つセンタリング位置に誘導された光ディスクをチャッキングし、情報の記録または再生を行う光ディスク装置であって、前記筐体内に配設されたシャーシと、前記シャーシに配設され、前記光ディスクの第１の位置を支持し、当該光ディスクをセンタリング位置に誘導する第１のディスクガイドと、前記シャーシに配設され、前記光ディスクの前記第１の位置とは間隔をおいた第２の位置を支持し、当該光ディスクをセンタリング位置に誘導する第２のディスクガイドと、前記シャーシに配設され、前記第１のディスクガイド及び第２のディスクガイドによって誘導された光ディスクの前記第１の位置よりも挿入方向側の第３の位置を支持し、当該第１のディスクガイド及び第２のディスクガイドと共に、当該光ディスクをセンタリング位置に誘導する第３のディスクガイドと、前記シャーシに配設され、前記第１のディスクガイド及び第２のディスクガイドによって誘導された光ディスクの前記第２の位置よりも挿入方向側且つ前記第３の位置とは間隔をおいた第４の位置を支持し、当該第１のディスクガイド及び第２のディスクガイドと共に、当該光ディスクをセンタリング位置に誘導する第４のディスクガイドと、前記シャーシに配設されたカム部材と、を備え、前記カム部材は、前記光ディスクがセンタリング位置に誘導された際、前記第３のディスクガイド及び第４のディスクガイドの少なくとも一方を係止して、光ディスク挿入方向側に移動することを規制し、前記光ディスクのチャッキングが完了した際に、当該規制を解除する光ディスク装置を提供するものである。
【発明の効果】
【００１０】
本発明に係る光ディスク装置は、置き姿勢にかかわらず、光ディスクを正確にセンタリング可能であり、チャッキング動作の信頼性を向上させることができる。
【発明を実施するための最良の形態】
【００１１】
次に、本発明の好適な実施の形態に係る光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１２】
図１は、本発明の実施の形態に係る光ディスク装置の外観図、図２は、本実施の形態に係る光ディスク装置のユニット単位の分解図、図３は、本実施の形態に係る光ディスク装置のイニシャル状態時のローディングユニットを上から見た平面図、図４は、図３に示すローディングユニットの底面図、図５は、図３に示すローディングユニットにトラバースユニットを配設した状態を示す平面図、図６は、図４に示すローディングユニットにトラバースユニット及び回路基板を配設した状態を示す底面図、図７は、図５に示すユニットからシャーシ、第３のディスクガイド及び第４のディスクガイドを消去した状態を一部分解して示す斜視図、図８は、図６に示すユニットから回路基板を消去した状態を示す底面図、図９は、図８に示すユニットからカム部材を消去した状態を示す底面図、図１０は、図７に示すユニットからカム部材を消去した状態を一部分解して示す斜視図、図１１は、図９に示すユニットの一部を拡大して示す底面図、図１２〜図１５は、図１１に示すユニットの一部をさらに拡大し且つ一部の部品を取り除いた状態を示す底面図、図１６は、図７に示すユニットの一部を挿入方向側から見た図、図１７は、図７に示すユニットの一部を左側から見た図、図１８及び図１９は、本実施の形態に係る光ディスク装置の構成要素であるカム部材の斜視図、図２０〜図２２は、本実施の形態に係る光ディスク装置の構成要素であるファンクションレバーの斜視図、図２３は、本実施の形態に係る光ディスク装置の構成要素である回路基板の底面図、図２４は、図２３に示す回路基板の上面を示す平面図である。なお、前記各図では、説明を判り易くするため、各部材の厚さやサイズ、拡大・縮小率等は、実際のものとは一致させずに記載した。
【００１３】
また、本実施の形態に係る光ディスク装置では、光ディスクが装着される側を「上」とし、その反対側を「下」あるいは「底」として説明する。そしてまた、光ディスクが挿入される方向を「挿入方向」とし、光ディスクが排出される方向を「排出方向」として説明する。また、光ディスクが挿入される方向に対し略垂直な方向であって、光ディスクが装着される側を上にして挿入方向に向かって右側を「右」とし、挿入方向に向かって左側を「左」として説明する。また、本発明で使用する図に記載されている矢印Ｘ方向は、「右方向」を示しており、したがって、左方向は、「−Ｘ方向」であり、矢印Ｙ方向は、「挿入方向」を示しており、したがって、排出方向は、「−Ｙ方向」であり、矢印Ｚ方向は、「上方向」を示しており、したがって、下方向（底面側）は、「−Ｚ方向」である。
【００１４】
なお、左右及び上下に関しては、光ディスク装置を上から見た場合と、下から見た場合で、見た目の左右、上下が逆転することになる。したがって、混同を避けるため、左右については、「−Ｘ方向」、「Ｘ方向」という表現をできるだけ使用し、上下については、「Ｚ方向」、「−Ｚ方向」という表現をできるだけ使用する。
【００１５】
図１に示すように、本実施の形態に係る光ディスク装置１は、直径１２ｃｍの光ディスクＤ１２（例えば、図２５参照）及び直径８ｃｍの光ディスクＤ８（例えば、図５１参照）の両者を記録媒体とする薄型スロットイン方式の光ディスク装置である。この光ディスク装置１は、装置上面（Ｚ方向）側を覆うトップカバー１１と、装置底面（−Ｚ方向）側を覆うボトムケース１２と、装置前面（−Ｙ方向）に配設されたフロントパネル１３と、を備えて構成されている。
【００１６】
トップカバー１１の略中央部には、光ディスクＤ１２（Ｄ８）のチャッキング時に、後述するクランパ３３が進入するための孔１１Ａが形成されている。この孔１１Ａの上部外周には、円環状の凹部１１Ｂが形成されている。ボトムケース１２の右側（Ｘ方向）端部には、径が１２ｃｍの光ディスクＤ１２の外周部の一部をガイドするガイド部材１５（例えば、図５参照）が配設されている。フロントパネル１３には、光ディスクＤ１２（Ｄ８）を筐体１０内に挿入及び排出するための開口１３Ａが形成されている。また、フロントパネル１３には、光ディスクＤ１２（Ｄ８）を筐体１０内から排出させるためのイジェクトボタン１４が配設されている。
【００１７】
次に、この筐体１０内に配設される各種ユニット及び部品について説明する。図２〜図１１に示すように、筐体１０内には、装置基盤を構成するシャーシ２０と、シャーシ２０に支持されるトラバースユニット３０と、シャーシ２０に支持されるローディングユニット４０と、これらのユニット等の駆動を制御する回路基板５０等が配設されている。
【００１８】
トラバースユニット３０は、シャーシ２０によって画定される内部空間２１（例えば、図３参照）に配設され、トラバースユニット３０の基盤を構成するメカデッキ部材３１を備えている。このメカデッキ部材３１には、筐体１０に配設された際に、排出方向且つ−Ｘ方向端部から挿入方向且つＸ方向端部に向けて斜めに開口された開口部３５が形成されている。
【００１９】
開口部３５の挿入方向且つＸ方向端部には、光ディスクＤ１２（Ｄ８）を回転駆動するスピンドルモータ３２と、スピンドルモータ３２の上部に配設され、光ディスクＤ１２（Ｄ８）に形成された中心孔に挿入されて光ディスクＤ１２（Ｄ８）をチャッキングするクランパ３３と、クランパ３３の外周部に配設され、光ディスクＤ１２（Ｄ８）の中心孔にクランパ３３が挿入された状態で光ディスクＤ１２（Ｄ８）の情報記録面を支持するターンテーブル３４が配設されている。また、開口部３５には、排出方向且つ−Ｘ方向端部からスピンドルモータ３２間での間を移動する光ピックアップ３６が配設されている。この光ピックアップ３６は、光ディスクＤ１２（Ｄ８）の径方向に移動し、光ディスクＤ１２（Ｄ８）の情報記録面にレーザ光を照射して情報を記録する、または情報記録面に記録された情報を再生するものである。なお、メカデッキ部材３１には、光ピックアップ３６を移動させるための移動機構（図示せず）等が配設されている。
【００２０】
また、メカデッキ部材３１の挿入方向先端の略中央部には、ピン３６Ａ（例えば、図６参照）が配設され、メカデッキ部材３１の挿入方向先端側且つＸ方向側面（例えば、図６参照）には、ピン３６Ｂが配設されている。また、メカデッキ部材３１の排出方向且つ−Ｘ方向先端と、排出方向且つＸ方向先端には、ダンパ３７Ａ及び３７Ｂ（例えば、図２参照）が各々配設されている。ピン３６Ａは、後に詳述するローディングユニット４０の構成要件であるカム部材４７（例えば、図１８参照）の排出方向端面に形成されている傾斜孔７９及び水平孔８０に挿入され、傾斜孔７９及び水平孔８０内を相対移動する。ピン３６Ｂは、後に詳述するローディングユニット４０の構成要件であるファンクションレバー４５（例えば、図２１参照）の−Ｘ方向側面に形成されている傾斜孔５２に挿入され、傾斜孔５２内を相対移動する。そして、これらのピン３６Ａ及び３６Ｂの相対移動により、トラバースユニット３０は、筐体１０内の基準面に対して上下方向（Ｚ、−Ｚ方向）に移動し、上昇されたクランパ３３によって光ディスクＤ１２（Ｄ８）をチャッキングしたり、チャッキング後はクランパ３３を下降させて、光ディスクＤ１２（Ｄ８）を、記録または再生動作のために回転可能な状態にしたりする。ダンパ３７Ａ及び３７Ｂは、シャーシ２０に取付けられており、ピン３６Ａ及び３６Ｂの相対移動に追従して、トラバースユニット３０の上下（Ｚ、−Ｚ方向）移動による振動を吸収し、トラバースユニット３０に安定した上下移動を行わせる。
【００２１】
上昇されたクランパ３３は、光ディスクＤ１２（Ｄ８）の中心孔内に挿入され、光ディスクＤ１２（Ｄ８）をその半径方向に支持した後、さらに上昇して先端側の一部が孔１１Ａに進入する。この時、光ディスクＤ１２（Ｄ８）の中心孔の周囲の面が凹部１１Ｂの下面（−Ｚ方向）に押し付けられ、この反力で光ディスクＤ１２（Ｄ８）の中心孔内にクランパ３３が所定位置まで進入した状態となり、光ディスクＤ１２（Ｄ８）がクランパ３３にチャッキングされる。
【００２２】
ローディングユニット４０は、シャーシ２０のＸ方向端部に回動可能に配設された第１のディスクガイド４１と、シャーシ２０の−Ｘ方向端部に左右方向（−Ｘ、Ｘ方向）に移動可能に配設された第２のディスクガイド４２と、シャーシ２０の挿入方向奥側に互いに交差して配設された第３のディスクガイド４３及び第４のディスクガイド４４と、シャーシ２０のＸ方向端部に配設されたファンクションレバー４５と、シャーシ２０のＸ方向且つ排出方向端部に配設され、ファンクションレバー４５を挿入方向及び排出方向に移動させる駆動部４６と、シャーシ２０の挿入方向奥側に配設され、ファンクションレバー４５の移動に応じて左右方向（−Ｘ、Ｘ方向）に移動するカム部材４７と、を備えている。
【００２３】
第１のディスクガイド４１は、光ディスクＤ１２（Ｄ８）の外周端部の第１の位置を支持して、光ディスクＤ１２（Ｄ８）をセンタリング位置に誘導するものである。ここで、センタリング位置とは、光ディスク装置１内でローディングされた光ディスクＤ１２（Ｄ８）が、クランパ３３の上方（Ｚ方向）において、クランパ３３が光ディスクＤ１２（Ｄ８）の中心孔に挿入される時に、該中心孔がクランパ３３と同心となるように、位置決めされる位置のことである。この第１のディスクガイド４１は、挿入方向側に位置するアクションレバー１０１と、アクションレバー１０１の排出方向側に連結されたインサートアーム１０２と、インサートアーム１０２の排出方向先端に配設され、光ディスクＤ１２（Ｄ８）の外周端面の第１の位置を支持するインサートローラ１０３を有している。
【００２４】
アクションレバー１０１の底面の挿入方向端部には、略円筒形のピン１０４（例えば、図７参照）が−Ｚ方向に向けて立設されている。このピン１０４は、後に詳述するファンクションレバー４５の挿入方向端部の上面（Ｚ方向）に形成されているカム溝５０１及び５０２（例えば、図２０参照）と、これらが合流した合流部５０３に移動可能に挿入される。アクションレバー１０１の底面の排出方向端部には、後に詳述するインサートアーム１０２の底面の挿入方向端部に形成されたピン１０６（例えば、図４参照）が移動可能に貫通する長孔１０５が形成されている。そして、このピン１０６は、ボトムケース１２に形成されている略円弧状の孔１９（例えば、図５参照）内に移動可能に挿入されている。アクションレバー１０１の略中央部には、シャーシ２０に取付けられたピン１１１が貫通する孔１０７（例えば、図７参照）が形成されており、アクションレバー１０１は、孔１０７を貫通したピン１１１を支点として回動可能となっている。
【００２５】
また、アクションレバー１０１の底面であって、ピン１０４が形成されている位置と孔１０７が形成されている位置との間には、略円筒形のピン１１０が−Ｚ方向（例えば、図１２参照）に向けて立設されている。このピン１１０は、リンク部材１２０のＸ方向端部に形成されているカム孔１２１に移動可能に貫通されている。このリンク部材１２０の−Ｘ方向端部（例えば、図１１参照）の排出方向側には、一端がシャーシ２０に固定されているコイルばね１３１の他端が固定されており、リンク部材１２０は、−Ｘ方向に付勢されている。また、リンク部材１２０の−Ｘ方向端部には、シャーシ２０に形成されている略円筒形のピン１３２が貫通され且つ左右方向（−Ｘ、Ｘ方向）に延びる長孔１３３が形成されている。そして、このリンク部材１２０は、後に詳述するが、第１のディスクガイド４１が、イニシャル状態から、インサートローラ１０３をＸ方向に移動させるように回動した際（例えば、図２５参照）に、コイルばね１３１の付勢力に抗してＸ方向（例えば、図２７参照）に移動し、インサートローラ１０３を−Ｘ方向側に移動させるように回動した際に、−Ｘ方向（例えば、図３７参照）に移動する。
【００２６】
さらにまた、アクションレバー１０１の挿入方向端部の−Ｘ方向側には、−Ｘ方向側に突出した突起部１２３（例えば、図１２参照）が形成されており、この突起部１２３には、スイッチ操作レバー１２４の一端が嵌合されている。このスイッチ操作レバー１２４は、特に図１２に示すように、平面視で略Ｌ字状を有しており、その屈曲部分に孔１２５が形成されており、シャーシ２０に固定された略円筒状のピン１２６が孔１２５に挿入されることで、このピン１２６を支点として、シャーシ２０に回動可能に取付けられている。スイッチ操作レバー１２４の他端は、第１のディスクガイド４１がイニシャル状態にある際、及び後述するが、８ｃｍの光ディスクＤ８が挿入された際に、後に詳述する回路基板５０の裏面（例えば、図１２及び図２３参照）に配設されているディスク判別スイッチ５７のレバー５７Ａに当接してディスク判別スイッチ５７をＯＮ状態とし、第１のディスクガイド４１が、インサートローラ１０３をＸ方向に移動させるように回動した際（例えば、図２５参照）に、ディスク判別スイッチ５７をＯＦＦ状態にする。なお、このディスク判別スイッチ５７の動作により、挿入された光ディスクのサイズの判別が行われる。
【００２７】
インサートアーム１０２の底面の挿入方向端部には、略円筒形のピン１０６（例えば、図４参照）が−Ｚ方向に向けて立設されている。このピン１０６は、インサートアーム１０２に形成されている長孔１０５及びボトムケース１２に形成されている孔１９に移動可能に挿入されている。インサートアーム１０２の略中央部には、シャーシ２０のＸ方向から突出している支持部２２（例えば、図３参照）に取り付けられたピン１０９が貫通する孔１０８が形成されており、インサートアーム１０２は、孔１０８（図２参照）を貫通したピン１０９を支点として回動可能となっている。
【００２８】
インサートローラ１０３は、インサートアーム１０２に対し、回転可能に取付けられており、インサートアーム１０２が回動した際に、シャーシ２０の排出方向且つＸ方向端部に配設されたガイドレール２３にＺ方向を規制されて、左右方向（−Ｘ、Ｘ方向）に移動するようになっている。このインサートローラ１０３は、イニシャル状態の際には、ガイドレール２３の所定の−Ｘ方向に位置しており（例えば、図５参照）、径が１２ｃｍの光ディスクＤ１２がある程度挿入されると、光ディスクＤ１２の第１の位置が当接して、光ディスクＤ１２がインサートローラ１０３を押圧してガイドレール２３のＸ方向に移動させる。（例えば、図２５参照）。
【００２９】
第２のディスクガイド４２は、光ディスクＤ１２（Ｄ８）の外周端部の第１の位置とは間隔をおいた第２の位置を支持して、光ディスクＤ１２（Ｄ８）をセンタリング位置に誘導するものである。この第２のディスクガイド４２は、挿入方向側に位置するガイドレバー２０１と、ガイドレバー２０１の排出方向側に連結され、光ディスクＤ１２（Ｄ８）が挿入される際に、光ディスクＤ１２（Ｄ８）の情報記録面側を支持する支持レバー２０２と、一端が、ガイドレバー２０１の挿入方向側にピン２１１によって回動可能に取り付けられたリンクレバー２０３を有している。
【００３０】
ガイドレバー２０１の底面の挿入方向端部には、略円筒形のピン２０４（例えば、図１５参照）が−Ｚ方向に向けて立設されている。このピン２０４は、シャーシ２０に形成されている円弧状の孔１３６を移動可能に貫通し、孔１３６を移動することにより、ガイドレバー２０１を左右方向（−Ｘ、Ｘ方向）に略平行移動させる。
【００３１】
ここで、シャーシ２０には、ピン２０４に当接してガイドレバー２０１が−Ｘ方向側に移動しないようにロックするロックレバー２０５（例えば、図１５参照）と、ロックレバー２０５がロックを解除した際にロック位置に戻ることを防止するロック制御部材２０７（例えば、図１５参照）が、共通のピン１１２により回動可能に取付けられている。ロックレバー２０５の−Ｘ方向先端（例えば図１５参照）には、一端がシャーシ２０に固定されたコイルばね１４１の他端が固定されている。また、ロックレバー２０５の中央部よりも若干Ｘ方向側（例えば、図１５参照）には、シャーシ２０に配設されたピン１１２が貫通される孔２０８が形成されており、ロックレバー２０５は、孔２０８を貫通したピン１１２を支点として回動可能となっている。さらに、ロックレバー２０５に形成された孔２０８の−Ｘ方向側近傍（例えば図１５参照）の排出方向側には、リンク部材１２０との接触部２０９が設けられている。この接触部２０９は、リンク部材１２０がＸ方向に移動した際に、リンク部材１２０の−Ｘ方向端部の挿入方向側に延出した延出部１２９のテーパ面１２９Ａに摺接（例えば、図２９参照）する。この動作により、ロックレバー２０５が、孔２０８を貫通したピン１１２を支点としてコイルばね１４１の付勢力に抗して、例えば、図２９でいう反時計回りに回動し、ロックレバー２０５のＸ方向先端とピン２０４との当接が解除され（ロックを解除）、ガイドレバー２０１が、−Ｘ方向に平行移動することを可能にする。
【００３２】
ロック制御部材２０７は、Ｘ方向先端に−Ｚ方向に突出する凸部２１８が形成されており、この凸部２１８は、例えば図１５に示すように、ロック制御部材２０７がイニシャル位置にある際に、カム部材４７の−Ｘ方向側且つ−Ｙ方向の縁部４８に当接されており、ロック制御部材２０７が、図１５でいう時計回りに回動することを阻止している。また、ロックを解除した際であっても、ロックレバー２０５には、コイルばね１４１の付勢力によってロック位置に戻ろうとする力が働くが、直径が１２ｃｍの光ディスクＤ１２が挿入された際のロックを解除時は、例えば、図２９に示すように、接触部２０９が延出部１２９に当接し、ロックレバー２０５が、ロック位置に戻ることが阻止される。また、直径が８ｃｍの光ディスクＤ８が挿入された際のロックを解除時は、例えば、図５６に示すように、カム部材４７の−Ｘ方向への移動により、凸部２１８がカム部材４７の縁部４８のＸ方向側に連続した傾斜面４９に当接されており、ロック制御部材２０７が、図２９に示す位置よりも図５６でいう反時計回りに回動しており、ロック制御部材２０７に形成されている係止部２１７がロックレバー２０５に当接するため、ロックレバー２０５がピン２０４をロックする位置に戻ることが阻止され、ガイドレバー２０１は、−Ｘ方向に移動可能となる。
【００３３】
ガイドレバー２０１のピン２０４が形成されている位置から若干排出方向側には、リンクレバー２０３が、略円筒形のピン２１２によって回動可能に配設されている。リンクレバー２０３の排出方向端部は、シャーシ２０にピン２１０によって回動可能に取付けられており、リンクレバー２０３は、排出方向端部を支点として回動し、ガイドレバー２０１を左右方向に略平行移動させる。また、リンクレバー２０３の略中央部分の底面には、シャーシ２０に形成されている円弧状の孔１３８を移動可能に貫通し、ねじりコイルばね２１４（例えば、図１１参照）の一端が固定されたバネ固定部２１３が−Ｚ方向に向けて突出形成されている。ねじりコイルばね２１４は、例えば、図１１に示すように、他端及び中央部分がシャーシ２０に固定されており、リンクレバー２０３をイニシャル位置（図１１でいうＸ方向）に向けて付勢している。
【００３４】
ガイドレバー２０１の排出方向端部には、平面視で略扇状の支持レバー２０２の一端がピン２０６を支点として回動可能に取付けられている。一方、支持レバー２０２の他端（排出方向端部）は、シャーシ２０に回動可能に取付けられている。
【００３５】
第３のディスクガイド４３は、第１のディスクガイド４１及び第２のディスクガイド４２によって誘導された光ディスクＤ１２（Ｄ８）の第１の位置よりも挿入方向側の第３の位置を支持し（例えば、図３０参照）、第１のディスクガイド４１及び第２のディスクガイド４２と共に、光ディスクＤ１２（Ｄ８）をセンタリング位置に誘導するものである。この第３のディスクガイド４３は、挿入方向側に位置するイジェクトアーム３０１と、イジェクトアーム３０１の排出方向先端に回転可能に取付けられ、光ディスクＤ１２（Ｄ８）の外周端面の第３の位置を支持するイジェクトローラ３０３を有している。
【００３６】
イジェクトアーム３０１の挿入方向端部の底面には、略円筒形のピン２２１（例えば、図３参照）が−Ｚ方向に向けて立設されており、このピン２２１は、シャーシ２０の挿入方向側且つＸ方向側に形成されている円弧状の孔１５１を移動可能に貫通している。イジェクトアーム３０１のピン２２１が形成されている位置よりも若干排出方向側には、シャーシ２０に取付けられたピン１５２が貫通する孔１５３が形成されており、イジェクトアーム３０１は、孔１５３を貫通したピン１５２を支点として回動可能となっている。ピン２２１は、後に詳述するイジェクタ１５０に設けられた図示しない孔と係合しており、イジェクトボタン１４が押された際に、イジェクトアーム３０１が、孔１５３に挿入されたピン１５２を支点としてイニシャル方向に戻るように回動し、光ディスクＤ１２（Ｄ８）を排出方向に押してイジェクトするようになっている。
【００３７】
また、イジェクトアーム３０１の孔１５３近傍の挿入方向側端部の底面には、略円筒形のピン２２２（例えば、図５及び図１２参照）が−Ｚ方向に向けて立設されており、このピン２２２は、シャーシ２０の挿入方向側且つＸ方向側に形成されている円弧状の孔１５５（図２参照）を移動可能に貫通している。このピン２２２には、ねじりコイルばね２１５の一端が固定されており（例えば、図１２参照）、ねじりコイルばね２１５の他端及び中央部分はシャーシ２０に固定されており、イジェクトアーム３０１をイニシャル方向（図５でいう反時計回り）に向けて付勢している。
【００３８】
また、イジェクトアーム３０１のピン２２２が形成されている位置の−Ｘ方向側の底面には、略円筒形のピン２２３（例えば、図５及び図１１参照）が−Ｚ方向に向けて立設されており、このピン２２３は、前述したピン２２２と共に、孔１５５（図２参照）を移動可能に貫通している。さらにこのピン２２３は、後に詳述するカム部材４７に形成されているカム孔７３に移動可能に挿入されており、カム部材４７が−Ｘ方側に移動して、例えば、直径８ｃｍの光ディスクＤ８のセンタリングを行う際に、カム孔７３の８ｃｍ用カム孔７３Ｂの挿入方向縁部７３Ｃ（例えば、図５９参照）に当接するようになっている。
【００３９】
第４のディスクガイド４４は、第１のディスクガイド４１及び第２のディスクガイド４２によって誘導された光ディスクＤ１２（Ｄ８）の第２の位置よりも挿入方向側且つ前記第３の位置とは間隔をおいた第４の位置を支持し（例えば、図３０参照）、第１のディスクガイド４１及び第２のディスクガイド４２と共に、光ディスクＤ１２（Ｄ８）をセンタリング位置に誘導するものである。この第４のディスクガイド４４は、挿入方向側に位置するディスクアーム４０１と、ディスクアーム４０１の排出方向先端に回転可能に取付けられ、光ディスクＤ１２（Ｄ８）の外周端面の第４の位置を支持するディスクローラ４０３を有している。
【００４０】
ディスクアーム４０１の挿入方向且つＸ方向端部の底面には、−Ｚ方向（例えば、図５参照）に向けて延出した突起部１６１が形成されている。この突起部１６１は、シャーシ２０に形成されている円弧状の孔１４３を移動可能に貫通すると共に、シャーシ２０の裏面に配設される後に詳述するスイッチプレート１７０（例えば、図１１参照）に形成された平面視で略扇状のカム孔１７１に係合している。スイッチプレート１７０は、後に後述する駆動部４６の構成要素であるローディングモータ６０をＯＮ、ＯＦＦするローディングスイッチ１８０をＯＦＦ状態からＯＮ状態、またはＯＮ状態からＯＦＦ状態に切替えるものである。なお、ローディングスイッチ１８０は、回路基板５０に配設されており、スイッチプレート１７０がイニシャル位置にある際には、ＯＮ−ＯＦＦ状態となっている。
【００４１】
また、スイッチプレート１７０の略中央部には、左右方向（−Ｘ、Ｘ方向）に延びる長孔１７３が形成されており、この長孔１７３に、シャーシ２０に形成されているボス部１７５が挿入されている。また、スイッチプレート１７０の挿入方向端部は、シャーシ２０に形成されたガイド部１７６及び１７７に、左右方向（−Ｘ、Ｘ方向）に移動可能に取付けられている。さらにまた、スイッチプレート１７０の図１１に示す−Ｘ方向には、スイッチプレート１７０が左右方向（−Ｘ、Ｘ方向）に移動した際に、ローディングスイッチ１８０のスイッチレバー１８１に当接してスイッチレバー１８１を切替える切替凸部１７８Ａ及び１７８Ｂが、スイッチレバー１８１を挟んだ両側に各々配設されている。このスイッチプレート１７０は、第４のディスクガイド４４が、後に詳述するねじりコイルばね２１６の付勢力に抗して光ディスクのローディング方向（例えば、図５でいう反時計回り）に回動した際に、−Ｘ方向（例えば、図１１参照）に移動するようになっている。なお、突起部１６１は、イニシャル状態の際には、カム孔１７１の挿入方向先端側に係合されている。
【００４２】
また、ディスクアーム４０１の挿入方向略中央部には、シャーシ２０に取付けられたピン１６２が貫通する孔１６３が形成されており、ディスクアーム４０１は、このピン１６２を支点として回動可能となっている。さらにまた、ディスクアーム４０１の孔１６３が形成されている位置よりも若干排出方向且つＸ方向側の底面には、略円筒形のピン１６４が−Ｚ方向（例えば、図５及び図１１参照）に向けて立設されている。このピン１６４は、シャーシ２０に形成された円弧状の孔１４４を移動可能に貫通し、ねじりコイルばね２１６の一端が固定され（例えば、図１１参照）ている。ねじりコイルばね２１６の他端及び中央部分は、シャーシ２０に固定されており、ディスクアーム４０１をイニシャル方向（図５でいう時計回り）に向けて付勢している。また、ピン１６４は、後に詳述するカム部材４７に形成されているカム孔７１に移動可能に挿入されており、カム部材４７が−Ｘ方向（例えば、図３６参照）に移動して、例えば、直径１２ｃｍの光ディスクＤ１２がセンタリング位置に誘導された際に、カム孔７１の挿入方向縁部７２Ａ（例えば、図３６参照）に当接するようになっている。
【００４３】
ファンクションレバー４５は、シャーシ２０のＸ方向端部の底面に、挿入方向から排出方向に沿って移動可能に取付けられており、例えば、図１０に示すように、挿入方向端部の上面には、１２ｃｍ用カム溝５０１と、８ｃｍ用カム溝５０２が、Ｘ方向側から順に形成されている。これらのカム溝５０１及び５０２は、排出方向側が合流した合流部５０３となっている。また、ファンクションレバー４５のカム溝５０１及び５０２よりも挿入方向先端側には、後に詳述するコントロールアーム２７０（例えば、図７参照）の挿入方向側端部の底面から−Ｚ方向に向けて立設したピン２７１が係合する係合溝５０４が形成されている。
【００４４】
ファンクションレバー４５の排出方向端部の−Ｘ方向側面には、後に詳述する駆動部４６の構成要件であるギア２６１と歯合するラック５１（例えば、図２１参照）が形成されている。そしてまた、ファンクションレバー４５の−Ｘ方向側面の略中央部には、傾斜孔５２が形成されている。この傾斜孔５２を画定する下面は、排出方向側に位置し、排出方向側にいくにしたがって下降する傾斜面５３と、傾斜面５３の挿入方向側に位置し、挿入方向側にいくにしたがって下降する傾斜面５４と、傾斜面５４の挿入方向側に位置する水平面５５から形成されている。なお、後に詳述するが、この傾斜孔５２に、メカデッキ部材３１のＸ方向側面に形成されているピン３６Ｂ（例えば、図３９及び図４６参照）が挿入されて移動することで、この移動に応じて光ディスクＤ１２（Ｄ８）は、チャッキング状態、情報の記録・再生時（プレイ時）状態となる。
【００４５】
さらにまた、ファンクションレバー４５の底面の挿入方向端部の−Ｘ方向側（例えば、図１１に示す−Ｘ方向）には、回路基板５０に配設されたモードスイッチ１８３（例えば、図１１参照）のスイッチレバー１８４に当接してスイッチレバー１８４を切替える切替凸部１４５が形成されている。なお、モードスイッチ１８３は、ファンクションレバー４５が装置のプレイ可能位置（記録または再生可能な位置）に移動したことを検出するスイッチであり、２接点構造のものを用いているため、１個のモードスイッチ１８３で２つのメカモードを検出可能である。すなわち、ファンクションレバー４５がイニシャル位置にある際には、スイッチレバー１８４が挿入方向側に倒れてイニシャルＯＮ状態となり、ファンクションレバー４５がプレイ位置に移動していないことを示しており、スイッチレバー１８４がニュートラル位置にある際はＯＦＦ状態となる。ファンクションレバー４５がプレイ位置に移動した際は、スイッチレバー１８４がニュートラル位置から排出方向側に倒れてプレイＯＮ状態となる。
【００４６】
また、ファンクションレバー４５の底面の切替凸部１４５よりも挿入方向端部の−Ｘ方向側（例えば、図１１に示す−Ｘ方向）には、回路基板５０に配設されたイジェクトスイッチ１８５（例えば、図１１参照）のスイッチレバー１８６に当接してスイッチレバー１８６を切替える切替凸部１４６が形成されている。なお、イジェクトスイッチ１８５は、ファンクションレバー４５がイジェクト位置に移動したことを検出するスイッチであり、ファンクションレバー４５がイニシャル位置にある際には、ＯＦＦ状態となっている。また、シャーシ２０のファンクションレバー４５の挿入方向先端には、イジェクタ１５０が配設されている。
【００４７】
駆動部４６は、シャーシ２０の排出方向且つＸ方向側に固定され、光ディスクＤ１２（Ｄ８）のローディング動作、イジェクト動作、トラバースユニット３０の回動動作等を行うための駆動力を発生するローディングモータ６０と、ローディングモータ６０の回転軸に形成されたウォームギア６１と、ウォームギア６１に歯合するギア２６３と、ギア２６３と歯合するギア２６２と、ギア２６２と歯合し且つラック５１と歯合するギア２６１とを備え、これらのギア列によって、ローディングモータ６０の駆動力伝達系を構成している。
【００４８】
コントロールアーム２７０は、平面視で略Ｌ字状を有し、後に詳述するカム部材４７を駆動するものである。コントロールアーム２７０の挿入方向側端部の底面には、略円筒形のピン２７１（例えば、図７参照）が−Ｚ方向に向けて立設されている。このピン２７１は、ファンクションレバー４５の係合溝５０４に挿入され、係合溝５０４に係合するようになっている。コントロールアーム２７０の排出方向端部の底面（例えば、図７参照）には、略円筒形のピン２７２が−Ｚ方向に向けて立設されている。このピン２７２は、後に詳述するカム部材４７に形成されているカム孔７５（例えば、図７及び図８参照）を移動可能に貫通する。また、コントロールアーム２７０の略中央部には、例えば、図９に示すように、シャーシ２０の底面から−Ｚ方向に向けて立設したピン２７５が貫通する孔２７６が形成されており、コントロールアーム２７０は、このピン２７５を支点として回動可能となっている。このコントロールアーム２７０は、ファンクションレバー４５が排出方向に移動することにより、例えば、図９に示す位置から図３７に示すように、ピン２７５を支点として図３７でいう反時計回りに回動し、カム部材４７を図８に示す位置から図３６に示す位置（すなわち、−Ｘ方向）に移動させる。
【００４９】
シャーシ２０の上にはカム部材４７が、挿入方向側に、左右方向（−Ｘ、Ｘ方向）に移動可能に配設されている。このカム部材４７のシャーシ２０の上面と対向する面には、特に図１８に示すように、−Ｘ方向側から順に、シャーシ２０の上面に形成された略円筒形のピン１６５が左右方向（−Ｘ、Ｘ方向）に相対的に移動可能に挿入される長孔７６、ディスクアーム４０１に形成されたピン１６４が相対的に移動可能に挿入されるカム孔７１、シャーシ２０の上面に形成された略円筒形のピン１６６（例えば、図８参照）が左右方向（−Ｘ、Ｘ方向）に相対的に移動可能に挿入される長孔７７、コントロールアーム２７０に形成されているピン２７２（例えば、図８参照）が相対的に移動可能に挿入されるカム孔７５、イジェクトアーム３０１に形成されたピン２２３が相対的に移動可能に挿入されるカム孔７３が形成されている。また、カム部材４７のカム孔７５とカム孔７３の排出方向側には、シャーシ２０の上面に形成された略円筒形のピン１６７が左右方向（−Ｘ、Ｘ方向）に相対的に移動可能に挿入される長孔７８が形成されている。
【００５０】
カム孔７１のＸ方向側は、特に図１８に示すように、２つに分岐しており、挿入方向側に位置する分岐孔７１Ａには、直径が１２ｃｍの光ディスクＤ１２がプレイ状態の際に、ピン１６４が位置する（例えば、図４２参照）ようになっており、排出方向側に位置する分岐孔７１Ｂには、直径が８ｃｍの光ディスクＤ８がプレイ状態の際に、ピン１６４が位置する（例えば、図６２参照）ようになっている。
【００５１】
カム孔７３のＸ方向側は、特に図１８に示すように、２つに分岐しており、挿入方向側に位置する分岐孔７３Ａには、直径が１２ｃｍの光ディスクＤ１２がプレイ状態の際に、ピン２２３が位置する（例えば、図４２参照）ようになっており、排出方向側に位置する分岐孔７１Ｂには、直径が８ｃｍの光ディスクＤ８がプレイ状態の際に、ピン２２３が位置する（例えば、図６２参照）ようになっている。
【００５２】
カム孔７５は、排出方向から挿入方向に延びた略Ｌ字状を有しており、イニシャル状態の際に、排出方向側にピン２７２が位置し（例えば、図８参照）、光ディスクＤ１２（Ｄ８）がプレイ状態の際に、挿入方向側にピン２７２が位置するようになっている。
【００５３】
カム部材４７の排出方向側の端面には、特に図１８に示すように、−Ｘ方向側からＸ方向側に向けてＺ方向に傾斜する傾斜孔７９と、傾斜孔７９のＸ方向側に連続して形成された水平孔８０が形成されている。傾斜孔７９及び水平孔８０には、メカデッキ部材３１に形成されているピン３６Ａが、相対的に左右方向（−Ｘ、Ｘ方向）に移動可能に挿入される。ピン３６Ａは、イニシャル状態の際には、図１６に示すように、傾斜孔７９の−Ｚ方向且つ−Ｘ方向に位置しており、光ディスクＤ１２（Ｄ８）をチャッキングする際には、図３８に示すように、傾斜孔７９の最上部に位置し、メカデッキ部材３１はＺ方向に移動した状態となる。また、ピン３６Ａは、プレイ状態の際には、図４５に示すように、水平孔８０に位置する。
【００５４】
次に、本実施の形態に係る光ディスク装置１の具体的な動作について、図面を参照して説明する。
【００５５】
図２５は、本実施の形態に係る光ディスク装置に直径１２ｃｍの光ディスクを挿入している状態を、トップカバーを外して上から見た平面図、図２６は、図２５に示す状態を、ボトムケースと回路基板を消去して示す底面図、図２７は、図２６に示す状態からカム部材を消去し且つ一部を拡大して示す底面図、図２８は、図２７に示す状態の一部をさらに拡大して示す底面図、図２９は、図２６に示す状態の一部をさらに拡大して示す底面図、図３０は、図２５に示す状態から光ディスクをさらに挿入し、ローディングモータを起動させる状態を示す平面図、図３１は、図３０に示す状態を、ボトムケースと回路基板を消去して示す底面図、図３２は、図３１に示す状態からカム部材を消去し且つ一部を拡大して示す底面図、図３３及び図３４は、図３２に示す状態の一部をさらに拡大して示す底面図、図３５は、図３０に示す状態から光ディスクをさらに挿入し、光ディスクをセンタリングした状態を示す平面図、図３６は、図３５に示す状態を、ボトムケースと回路基板を消去して示す底面図、図３７は、図３６に示す状態からカム部材を消去し且つ一部を拡大して示す底面図、図３８は、図３５に示すユニットの一部を挿入方向側から見た図、図３９は、図３５に示すユニットの一部を左側から見た図、図４０は、直径１２ｃｍの光ディスクのプレイ可能状態を、トップカバーを外して上から見た平面図、図４１は、図４０に示すユニットからシャーシ、第３のディスクガイド及び第４のディスクガイドを消去した状態を一部分解してＹ方向側から示す斜視図、図４２は、図４０に示す状態を、ボトムケースと回路基板を消去して示す底面図、図４３は、図４２に示す状態からカム部材を消去し且つ一部を拡大して示す底面図、図４４は、図４２に示すユニットの一部を拡大して示す底面図、図４５は、図４０に示すユニットの一部を挿入方向側から見た図、図４６は、図４０に示すユニットの一部を左側から見た図、図４７は、直径１２ｃｍの光ディスクを排出させた状態を、トップカバーを外して上から見た平面図、図４８は、図４７に示す状態を、ボトムケースと回路基板を消去して示す底面図、図４９は、図４８に示す状態からカム部材を消去し且つ一部を拡大して示す底面図、図５０は、図４９に示す状態の一部をさらに拡大して示す底面図である。
【００５６】
なお、前記各図では、説明を判り易くするため、各部材の厚さやサイズ、拡大・縮小率等は、実際のものとは一致させずに記載した。また、図２５〜図５０は、煩雑さを避けるため、説明上必要な部品と、主な部品に符号を付してあるが、符号が付されていない部品は、図１〜図２４に記載されている同等の部品に対応している。
【００５７】
先ず、イニシャル状態（例えば、図５参照）にある光ディスク装置１に、ユーザが、直径１２ｃｍの光ディスクＤ１２をフロントパネル１３に形成されている開口１３Ａから筐体１０内に挿入すると、光ディスクＤ１２の外周端面（第１の位置）が、第１のディスクガイド４１の排出方向先端に配設されているインサートローラ１０３に当接する。この時、第２のディスクガイド４２は、ロックレバー２０５がガイドレバー２０１に形成されているピン２０４に当接している（例えば、図１５参照）ため、−Ｘ方向側に移動しないようにロックされている。
【００５８】
さらに光ディスクＤ１２を筐体１０内に挿入すると、光ディスクＤ１２の第１の位置がインサートローラ１０３を押圧し、この押圧力により、インサートアーム１０２がピン１０９を支点として図２５でいう反時計回りに回動する。この動作により、インサートアーム１０２の挿入方向側に配設されているピン１０６が、孔１９内を図２５でいう反時計回りに移動すると共に、ピン１１１を支点としてアクションレバー１０１を図２５でいう時計回り（図２６でいう反時計回り）に回動させる。アクションレバー１０１は、この回動により、スイッチ操作レバー１２４をイニシャル位置（例えば、図１１及び図１２参照）から、ピン１０７を支点として図１１でいう時計回りに回動させ、スイッチ操作レバー１２４をディスク判別スイッチ５７のレバー５７Ａに当接させて、ディスク判別スイッチ５７をＯＮ状態（例えば、図１２参照）からＯＦＦ状態（例えば、図２８参照）にする。このディスク判別スイッチ５７がＯＦＦ状態となったことにより、光ディスク装置１は、直径１２ｃｍの光ディスクＤ１２が挿入されたことを認識する。インサートローラ１０３は、光ディスクＤ１２に押圧されながらガイドレール２３に沿って、図２５でいう反時計回りに移動する。
【００５９】
また、光ディスクＤ１２の挿入により、光ディスクＤ１２の第１の位置よりも−Ｘ方向側にある外周端面（第２の位置）が、ロックレバー２０５の排出方向先端部付近に当接すると共に、光ディスクＤ１２の情報記録面が支持レバー２０２に載置されて支持される。そしてまた、アクションレバー１０１は、この回動により、リンク部材１２０をイニシャル位置（例えば、図１１参照）から、コイルばね１３１の付勢力に抗してＸ方向に移動（例えば、図２７参照）させる。このリンク部材１２０のＸ方向への移動により、リンク部材１２０に形成されている延出部１２９が、ロックレバー２０５に形成されている接触部２０９に摺接（例えば、図２９参照）し、ロックレバー２０５がピン１１２を支点としてコイルばね１４１の付勢力に抗して、例えば、図２９でいう反時計回りに回動し、リンク部材１２０のＸ方向先端とピン２０４との当接が解除され（ロックを解除）、ガイドレバー２０１が、−Ｘ方向に平行移動することを可能にする。
【００６０】
次に、この状態から光ディスクＤ１２を筐体１０内にさらに挿入させると、ガイドレバー２０１が光ディスクＤ１２に押圧され、ピン２０４が孔１３６内を−Ｘ方向に移動し、ガイドレバー２０１は−Ｘ方向に移動する。このガイドレバー２０１の移動に伴って、ピン２１２が−Ｘ方向に移動するに伴い、連結したリンクレバー２０３が、ねじりコイルばね２１４の付勢力に抗して、ピン２１０を支点として図３０でいう反時計回りに回動する。また、支持レバー２０２がピン２１１を支点として図３０でいう反時計回りに回動する。これらの動作により、図３０に示すように、ガイドレバー２０１、支持レバー２０２、リンクレバー２０３がほぼ直線上に位置する。
【００６１】
そしてまた、光ディスクＤ１２は、外周端面の第１の位置及び第２の位置よりも挿入方向側に位置する第３の位置が、第３のディスクガイド４３の排出方向側先端に配設されているイジェクトローラ３０３に当接し、ピン１５２を支点として第３のディスクガイド４３を、ねじりコイルばね２１５の付勢力に抗して図３０でいう時計回りに回動させる。したがって、光ディスクＤ１２は、ねじりコイルばね２１５の付勢力により、イジェクトローラ３０３に確実に支持される。
【００６２】
次いで、光ディスクＤ１２は、外周端面の第１の位置及び第２の位置よりも挿入方向側に位置し、第３の位置よりもＸ方向側に位置する第４の位置が、第４のディスクガイド４４の排出方向側先端に配設されているディスクローラ４０３に当接し、ピン１６２を支点として第４のディスクガイド４４を、ねじりコイルばね２１６の付勢力に抗して図３０でいう反時計回りに回動させる。したがって、光ディスクＤ１２は、ねじりコイルばね２１６の付勢力により、ディスクローラ４０３に確実に支持される。
【００６３】
この第４のディスクガイド４４の回動に伴って、ディスクアーム４０１に形成されている突起部１６１が、シャーシ２０に形成されている孔１４３に沿ってイニシャル位置（例えば、図１１参照）から−Ｘ方向に移動（例えば、図３２参照）し、スイッチプレート１７０をイニシャル位置から−Ｘ方向へ移動させる。このスイッチプレート１７０の移動により、ローディングスイッチ１８０のスイッチレバー１８１が、Ｘ方向に倒れたＯＮ−ＯＦＦ状態（例えば、図１３参照）から−Ｘ方向に倒れたＯＦＦ−ＯＮ状態（例えば、図３３参照）に切替わり、ローディングモータ６０を起動させる。なお、ローディングスイッチ１８０がＯＮ状態となり、ローディングモータ６０が起動されるまでは、光ディスクＤ１２の自動引き込み（ローディング）は行われない。
【００６４】
ローディングモータ６０が起動すると、光ディスクＤ１２のローディングが開始される。具体的には、ローディングモータ６０の回転駆動力が、ウォームギア６１、ギア２６３、ギア２６２、ギア２６１を経て、ラック５１に伝達され、ファンクションレバー４５がイニシャル位置（例えば、図８参照）から排出方向に移動し始める。このファンクションレバー４５の移動により、アクションレバー１０１に形成されているピン１０４が、ファンクションレバー４５の合流部５０３から１２ｃｍ用カム溝５０１に移動し、アクションレバー１０１がピン１１１を支点として図３５でいう反時計回りに回動する。このアクションレバー１０１の回動に伴って、インサートアーム１０２が、ピン１０９を支点として図３５でいう時計回りに回動し、インサートローラ１０３は、光ディスクＤ１２の第１の位置を押圧して支持しながら、ガイドレール２３に沿って、図３５でいう時計回りに移動する。この動作により、光ディスクＤ１２は、センタリング位置へと誘導される。
【００６５】
また、ファンクションレバー４５のこの排出方向への移動により、図３７に示すように、コントロールアーム２７０がピン２７５を支点として反時計回りに回動し、カム部材４７を図３１に示す位置から図３６に示す位置（すなわち、−Ｘ方向）に移動させる。そしてまた、ファンクションレバー４５の移動により、切替凸部１４５がモードスイッチ１８３のスイッチレバー１８４を解放し（例えば、図３４及び図３７参照）、スイッチレバー１８４はニュートラル位置（ＯＦＦ状態）となる。また、アクションレバー１０１は、この回動により、スイッチ操作レバー１２４をイニシャル位置（例えば、図１１及び図３７参照）に戻す。
【００６６】
また、第３のディスクガイド４３は、イジェクトローラ３０３が、光ディスクＤ１２の第３の位置を支持した状態で、光ディスクＤ１２に押圧され、ねじりコイルばね２１６の付勢力に抗して、図３５に示すように時計回りにさらに回動する。この第３のディスクガイド４３の回動により、イジェクトアーム３０１に形成され、孔１５５とカム孔７３の両方に移動可能に挿入されているピン２２３が、分岐孔７３Ａに向けて移動する。
【００６７】
第４のディスクガイド４４は、ディスクローラ４０３が、光ディスクＤ１２の第４の位置を支持した状態で、光ディスクＤ１２に押圧され、ねじりコイルばね２１５の付勢力に抗して、図３５に示すように反時計回りにさらに回動する。この第４のディスクガイド４４の回動により、ディスクアーム４０１に形成され、シャーシ２０に形成されている孔１４４と、カム部材４７に形成されているカム孔７１の両方に移動可能に挿入されているピン１６４が挿入方向に移動し、光ディスクＤ１２がセンタリング位置に誘導された際に、カム孔７１の挿入方向縁部７２Ａに当接する。したがって、ディスクローラ４０３は、光ディスクＤ１２がセンタリング位置に誘導された際に、挿入方向に移動することが規制される。このように、光ディスクＤ１２がセンタリング位置に誘導された際にディスクローラ４０３の位置が規制されることで、例えば、挿入方向のＸ方向側あるいは−Ｘ方向側を下にして載置される縦置き姿勢の光ディスク装置の場合であっても、挿入された光ディスクＤ１２が、自重により光ディスク装置の下側に移動することを防止できるため、光ディスク装置１の置き姿勢にかかわらず、光ディスクＤ１２を正確にセンタリング可能であり、チャッキング動作の信頼性を向上させることができる。
【００６８】
また、ファンクションレバー４５の排出方向への移動により、メカデッキ部材３１に形成されているピン３６Ｂが、図１７に示す位置から、図３９に示すように、傾斜孔５２の傾斜面５３に沿って傾斜孔５２の頂上位置へ相対的に移動する。同時に、カム部材４７の−Ｘ方向への移動により、メカデッキ部材３１に形成されているピン３６Ａが、図１６に示す位置から、図３８に示すように、傾斜孔７９の傾斜面に沿って傾斜孔７９の頂上位置へ相対的に移動する。これらのピン３６Ａ及び３６Ｂの相対移動により、トラバースユニット３０は上昇し、インサートローラ１０３、ガイドレバー２０１、イジェクトローラ３０３及びディスクローラ４０３によって支持されている光ディスクＤ１２の中心孔に、クランパ３３が進入し、さらにＺ方向に上昇してクランパ３３の先端側の一部が孔１１Ａへ進出する。この時、光ディスクＤ１２の中心孔の周囲の面が凹部１１Ｂの−Ｚ方向側の面に押し付けられ、この反力で光ディスクＤ１２の中心孔内にクランパ３３が所定位置まで進入した状態となり、光ディスクＤ１２は、ターンテーブル３４上に載置され、次いで、クランパ３３にチャッキングされる。
【００６９】
チャッキング後、すなわち、光ディスクＤ１２の中心孔内にクランパ３３が所定位置まで進入した後、ファンクションレバー４５がさらに排出方向へ移動し、このファンクションレバー４５の移動により、図４０に示すようにアクションレバー１０１がチャッキング位置からピン１１１を支点として時計回りに移動する。このアクションレバー１０１の回動に伴って、インサートアーム１０２が図４０に示すように反時計回りに回動し、インサートローラ１０３がガイドレール２３に沿ってＸ方向に移動し、光ディスクＤ１２の第１の位置から離間し、プレイ可能位置に退避する。
【００７０】
また、チャッキング後のファンクションレバー４５の排出方向への移動に伴うガム部材４７の−Ｘ方向へのスライドにより、ロック制御部材２０７が図４３に示すようにピン１１２を支点として反時計回りに回動し、ガイドレバー２０１に形成されており、孔１３６に挿入されているピン２０４をさらに−Ｘ方向に移動させる。この動作により、ガイドレバー２０１は、図４０に示すようにさらに−Ｘ方向に移動し、光ディスクＤ１２の第２の位置から離間し、プレイ可能位置に退避する。
【００７１】
さらにまた、チャッキング後のファンクションレバー４５の排出方向への移動により、コントロールアーム２７０がピン２７５を支点として反時計回りに回動し、カム部材４７を図３６に示す位置から、図４２に示すように−Ｘ方向にさらに移動させる。このカム部材４７の移動により、イジェクトアーム３０１に形成されているピン２２３が、図３６に示す位置から、図４２に示すように、分岐孔７３Ａの奥側に移動し、イジェクトアーム３０１が、ねじりコイルばね２１５の付勢力に抗して図４０でいう時計回りに回動し、イジェクトローラ３０３が光ディスクＤ１２の第３の位置から離間し、プレイ可能位置に退避する。
【００７２】
そしてまた、チャッキング後のカム部材４７の−Ｘ方向へ移動により、ディスクアーム４０１に形成されているピン１６４が、図３６に示す位置から、図４２に示すように、分岐孔７１Ａの奥側に移動し、ディスクアーム４０１が、ねじりコイルばね２１６の付勢力に抗して図４０でいう反時計回りに回動し、ディスクローラ４０３が光ディスクＤ１２の第４の位置から離間し、プレイ可能位置に退避する。
【００７３】
また、チャッキング後のカム部材４７の−Ｘ方向へ移動により、メカデッキ部材３１に形成されているピン３６Ａが、図３８に示す位置から図４５に示すように、水平孔８０に相対的に移動する。また、チャッキング後のファンクションレバー４５の排出方向への移動により、メカデッキ部材３１に形成されているピン３６Ｂが、図３８に示す位置から図４６に示すように、傾斜孔５２の水平面５５に相対的に移動する。このようにして、チャッキングされている光ディスクＤ１２がプレイ可能位置に移動される。
【００７４】
そしてまた、チャッキング後のファンクションレバー４５の排出方向への移動により、特に図４４に示すように、ファンクションレバー４５に形成されている切替凸部１４６がモードスイッチ１８３のスイッチレバー１８４に当接してスイッチレバー１８４をニュートラル位置から排出方向側に倒し、プレイＯＮ状態となる。
【００７５】
このように、光ディスクＤ１２は、図４０に示すように、インサートローラ１０３、ガイドレバー２０１、イジェクトローラ３０３、ディスクローラ４０３から解放され、プレイ可能位置となり、モードスイッチ１８３がプレイＯＮ状態となることで、プレイ可能状態となる。
【００７６】
その後、イジェクトボタン１４が押されると、回路基板５０に搭載されている制御回路に電気信号が入力され、この制御回路によってモータ駆動回路が制御され、スピンドルモータ３２の回転が停止される。また、ローディングモータ６０が、前述したローディング動作の場合とは逆の方向に回転駆動され、このローディングモータ６０の回転駆動力が、ウォームギア６１、ギア２６３、ギア２６２、ギア２６１を経て、ラック５１に伝達され、ファンクションレバー４５が挿入方向に移動する。このファンクションレバー４５の移動により、図４７〜図４９に示すように、カム部材４７、コントロールアーム２７０等の前述した部材が、前述したローディング動作の場合（図３５〜図３７参照）とは逆の方向に移動し、光ディスクＤ１２はチャッキングが解除され、インサートローラ１０３、ガイドレバー２０１、イジェクトローラ３０３、ディスクローラ４０３によって、第１の位置、第２の位置、第３の位置、第４の位置が各々支持される。ファンクションレバー４５がイジェクト位置に達すると、イジェクトアーム３０１の回動によりイジェクトローラ３０３が光ディスクＤ１２を排出方向に押し、光ディスクＤ１２が光ディスク装置１から排出される。（図４７参照）。また、ファンクションレバー４５が挿入方向に移動してイジェクト位置に達すると、切替凸部１４６がイジェクトスイッチ１８５のスイッチレバー１８６を切替えてＯＮ状態とし（図４９参照）、その信号が制御回路に入力され、この制御回路によってモータ駆動回路が制御されてローディングモータ６０の回転が停止される。なお、各部品は、イニシャル位置に戻る。
【００７７】
次に、イニシャル状態にある光ディスク装置に、ユーザが、直径８ｃｍの光ディスクＤ８を挿入した際の具体的動作について図面を参照して説明する。
【００７８】
図５１は、本実施の形態に係る光ディスク装置に直径８ｃｍの光ディスクを挿入している状態を、トップカバーを外して上から見た平面図、図５２は、図５１に示す状態から光ディスクをさらに挿入し、ローディングモータを起動させる状態を示す平面図、図５３は、図５２に示す状態を、ボトムケースと回路基板を消去して示す底面図、図５４は、図５３に示す状態からカム部材を消去し且つ一部を拡大して示す底面図、図５５は、図５４に示す状態の一部をさらに拡大して示す底面図、図５６は、図５９の一部を拡大して示す底面図、図５７は、図５２に示す状態から光ディスクをさらに挿入し、光ディスクをセンタリングした状態を示す平面図、図５８は、図５７に示すユニットからシャーシ、第３のディスクガイド及び第４のディスクガイドを消去した状態を一部分解して示す斜視図、図５９は、図５７に示す状態を、ボトムケースと回路基板を消去して示す底面図、図６０は、図５９に示す状態からカム部材を消去し且つ一部を拡大して示す底面図、図６１は、直径８ｃｍの光ディスクのプレイ可能状態を、トップカバーを外して上から見た平面図、図６２は、図６１に示す状態を、ボトムケースと回路基板を消去して示す底面図、図６３は、図６２に示す状態の一部を拡大して示す底面図、図６４は、直径８ｃｍの光ディスクを排出させた状態を、トップカバーを外して上から見た平面図、図６５は、図６４に示す状態を、ボトムケースと回路基板を消去して示す底面図、図６６は、図６５に示す状態からカム部材を消去し且つ一部を拡大して示す底面図である。
【００７９】
なお、前記各図では、説明を判り易くするため、各部材の厚さやサイズ、拡大・縮小率等は、実際のものとは一致させずに記載した。また、図５１〜図６６は、煩雑さを避けるため、説明上必要な部品と、主な部品に符号を付してあるが、符号が付されていない部品は、図１〜図２４に記載されている同等の部品に対応している。
【００８０】
イニシャル状態（例えば、図５参照）にある光ディスク装置１に、ユーザが、直径８ｃｍの光ディスクＤ８をフロントパネル１３に形成されている開口１３Ａから筐体１０内に挿入すると、図５１に示すように、光ディスクＤ８の外周端面（第１の位置）が、第１のディスクガイド４１の排出方向先端に配設されているインサートローラ１０３に当接する。また、光ディスクＤ８の第１の位置よりも−Ｘ方向側にある外周端面（第２の位置）が、ガイドレバー２０１の排出方向先端部付近に当接すると共に、光ディスクＤ８の情報記録面が支持レバー２０２に載置されて支持される。この時、第２のディスクガイド４２は、直径１２ｃｍの光ディスクＤ１２が挿入された場合と同様に、−Ｘ方向側に移動しないようにロックされている。そしてまた、光ディスクＤ８は、外周端面の第１の位置及び第２の位置よりも挿入方向側に位置する第３の位置が、第３のディスクガイド４３の排出方向側先端に配設されているイジェクトローラ３０３に当接する。なお、この時点では、光ディスク装置１の各部材は、未だイニシャル位置にある。
【００８１】
次に、さらに光ディスクＤ８を筐体１０内に挿入すると、光ディスクＤ８の第１の位置がインサートローラ１０３を押圧し、この押圧力により、インサートアーム１０２がピン１０９を支点として図５１でいう反時計回りに回動する。ここで、直径８ｃｍの光ディスクＤ８の場合、インサートアーム１０２は、イニシャル位置から若干反時計回りに回動するのみであり、アクションレバー１０１が、スイッチ操作レバー１２４を大きく回動させることはなく、したがって、ディスク判別スイッチ５７はＯＮ状態のままである。また、光ディスクＤ８の第３の位置がイジェクトローラ３０３を押圧し、イジェクトアーム３０１がピン１５２を支点として、ねじりコイルばね２１５の付勢力に抗して図５１の位置から時計回りに回動し、図５２に示す位置となる。なお、この時、光ディスクＤ８は、ねじりコイルばね２１５の付勢力により、イジェクトローラ３０３に確実に支持されている。また、図５２に示すように、光ディスクＤ８の外周端面の第１の位置及び第２の位置よりも挿入方向側に位置し、第３の位置よりもＸ方向側に位置する第４の位置がディスクローラ４０３に当接し、ピン１６２を支点としてディスクアーム４０１が、ねじりコイルばね２１６の付勢力に抗して図５２でいう反時計回りに回動する。したがって、光ディスクＤ８は、ねじりコイルばね２１６の付勢力により、ディスクローラ４０３に確実に支持される。
【００８２】
図５２に示すようにディスクアーム４０１が回動することにより、ディスクアーム４０１に形成されている突起部１６１が、シャーシ２０に形成されている孔１４３に沿ってイニシャル位置（例えば、図１１参照）から、図５３及び図５４に示すように−Ｘ方向に移動し、スイッチプレート１７０をイニシャル位置から−Ｘ方向へ移動させる。このスイッチプレート１７０の移動により、ローディングスイッチ１８０のスイッチレバー１８１が、ＯＦＦ状態（例えば、図１３参照）から、図５５に示すように、ニュートラル位置（ＯＦＦ−ＯＦＦ状態）に切替わり、直径８ｃｍの光ディスクＤ８をローディングする条件（ディスク判別スイッチ５７がＯＮ状態）でローディングモータ６０を起動させる。なお、この場合も、ローディングモータ６０が起動されるまでは、光ディスクＤ８の自動引き込み（ローディング）は行われない。
【００８３】
ローディングモータ６０が起動すると、ファンクションレバー４５がイニシャル位置（例えば、図８参照）から排出方向に移動し始める。このファンクションレバー４５の移動により、アクションレバー１０１に形成されているピン１０４が、ファンクションレバー４５の合流部５０３から８ｃｍ用カム溝５０２に移動し（図５８参照）、アクションレバー１０１がピン１１１を支点として図５７でいう反時計回りに回動する。このアクションレバー１０１の回動に伴って、インサートアーム１０２が、ピン１０９を支点として図５７でいう時計回りに回動し、インサートローラ１０３は、光ディスクＤ８の第１の位置を押圧して支持しながら時計回りに移動する。この動作により、光ディスクＤ８は、センタリング位置へと誘導される。
【００８４】
また、ファンクションレバー４５の排出方向への移動により、図６０に示すように、コントロールアーム２７０がピン２７５を支点として反時計回りに回動し、カム部材４７を図５３に示す位置から図５９に示す位置（すなわち、−Ｘ方向）に移動させる。そしてまた、ファンクションレバー４５の移動により、切替凸部１４５がモードスイッチ１８３のスイッチレバー１８４を解放し（図５９及び図６０参照）、スイッチレバー１８４はニュートラル位置（ＯＦＦ−ＯＦＦ状態）となる。そしてまた、このカム部材４７の移動により、ロック制御部材２０７に形成されている凸部２１８が、カム部材４７の傾斜面４９に当接し、ロック制御部材２０７は、図５６でいう反時計回りに回動して、係止部２１７がロックレバー２０５に当接するため、ロックレバー２０５がピン２０４をロックする位置に戻ることが阻止され、ガイドレバー２０１は、−Ｘ方向に移動可能となる。
【００８５】
また、第３のディスクガイド４３は、イジェクトローラ３０３が、光ディスクＤ８の第３の位置を支持した状態で、光ディスクＤ８に押圧され、ねじりコイルばね２１６の付勢力に抗して、図５２に示す位置から図５７に示すように時計回りにさらに回動する。この第３のディスクガイド４３の回動により、イジェクトアーム３０１に形成され、孔１５５とカム孔７３の両方に移動可能に挿入されているピン２２３が、カム孔７３の挿入方向縁部７３Ｃ（例えば、図５９参照）に当接する。したがって、イジェクトローラ３０３は、光ディスクＤ８がセンタリング位置に誘導された際に、挿入方向に移動することが規制される。
【００８６】
第４のディスクガイド４４は、ディスクローラ４０３が、光ディスクＤ８の第４の位置を支持した状態で、光ディスクＤ８に押圧され、ねじりコイルばね２１５の付勢力に抗して、図５２に示す位置から図５７に示すように反時計回りにさらに回動する。この第４のディスクガイド４４の回動により、ディスクアーム４０１に形成されているピン１６４が、孔１４４及びカム孔７１内を挿入方向に移動し、光ディスクＤ８がセンタリング位置に誘導された際に、カム孔７１の分岐孔７１Ｂの挿入方向側を画定する縁部７２Ｂ（例えば、図５９参照）に当接する。したがって、ディスクローラ４０３は、光ディスクＤ８がチャッキングされる際に、挿入方向に移動することが規制される。
【００８７】
このように、光ディスクＤ８がセンタリング位置に誘導された際に、イジェクトローラ３０３及びディスクローラ４０３の位置が規制されることで、例えば、挿入方向のＸ方向側あるいは−Ｘ方向側を下にして載置される縦置き姿勢の光ディスク装置の場合であっても、挿入された光ディスクＤ８が、自重により光ディスク装置の下側に移動ことを防止することができるため、光ディスク装置１の置き姿勢にかかわらず、光ディスクＤ８を正確にセンタリング可能であり、チャッキング動作の信頼性を向上させることができる。
【００８８】
また、ファンクションレバー４５の排出方向への移動により、前述した直径１２ｃｍの光ディスクＤ１２の場合と同様に、インサートローラ１０３、ガイドレバー２０１、イジェクトローラ３０３及びディスクローラ４０３によって支持されている光ディスクＤ８がターンテーブル３４上に載置され、クランパ３３にチャッキングされる。
【００８９】
チャッキング時、ファンクションレバー４５がさらに排出方向へ移動し、前述した直径１２ｃｍの光ディスクＤ１２の場合と同様に、インサートローラ１０３、ガイドレバー２０１、イジェクトローラ３０３、ディスクローラ４０３が、図６１に示すように光ディスクＤ８の第１の位置、第２の位置、第３の位置、第４の位置から各々離間し、プレイ可能位置に退避する。また、直径１２ｃｍの光ディスクＤ１２の場合と同様に、チャッキングされている光ディスクＤ８がプレイ可能位置に移動され、図６２及び図６３に示す状態となる。そしてまた、直径１２ｃｍの光ディスクＤ１２の場合と同様に、スイッチレバー１８４をニュートラル位置から排出方向側に倒し、プレイＯＮ状態とし、ローディングモータ６０を停止させる。
【００９０】
その後、イジェクトボタン１４が押されると、直径１２ｃｍの光ディスクＤ１２の場合と同様に、光ディスクＤ８は、図６４〜図６６に示すように排出方向に移動され、ローディングモータ６０の回転が停止される。
【００９１】
なお、本実施の形態では、直径１２ｃｍの光ディスクＤ１２をセンタリング位置に誘導した際に、ディスクローラ４０３が挿入方向に移動することをカム部材４７により規制した場合について説明したが、これに限らず、直径１２ｃｍの光ディスクＤ１２の場合も、直径８ｃｍの光ディスクＤ８のように、イジェクトローラ３０３及びディスクローラ４０３が挿入方向に移動することをカム部材４７により規制する、あるいは、イジェクトローラ３０３にみが挿入方向に移動することをカム部材４７により規制してもよい。
【００９２】
また、本実施の形態では、直径８ｃｍの光ディスクＤ８をセンタリング位置に誘導した際に、イジェクトローラ３０３及びディスクローラ４０３が挿入方向に移動することをカム部材４７により規制した場合について説明したが、これに限らず、直径８ｃｍの光ディスクＤ８の場合も、直径１２ｃｍの光ディスクＤ１２のように、ディスクローラ４０３が挿入方向に移動することをカム部材４７により規制する、あるいは、イジェクトローラ３０３にみが挿入方向に移動することをカム部材４７により規制してもよい。
【図面の簡単な説明】
【００９３】
【図１】図１は、本発明の実施の形態に係る光ディスク装置の外観図である。
【図２】本実施の形態に係る光ディスク装置のユニット単位の分解図である。
【図３】本実施の形態に係る光ディスク装置のイニシャル状態時のローディングユニットを上から見た平面図である。
【図４】図３に示すローディングユニットの底面図である。
【図５】図３に示すローディングユニットにトラバースユニットを配設した状態を示す平面図である。
【図６】図４に示すローディングユニットにトラバースユニット及び回路基板を配設した状態を示す底面図である。
【図７】図５に示すユニットからシャーシ、第３のディスクガイド及び第４のディスクガイドを消去した状態を一部分解して示す斜視図である。
【図８】図６に示すユニットから回路基板を消去した状態を示す底面図である。
【図９】図８に示すユニットからカム部材を消去した状態を示す底面図である。
【図１０】図７に示すユニットからカム部材を消去した状態を一部分解して示す斜視図である。
【図１１】図９に示すユニットの一部を拡大して示す底面図である。
【図１２】図１１に示すユニットの一部をさらに拡大し且つ一部の部品を取り除いた状態を示す底面図である。
【図１３】図１１に示すユニットの一部をさらに拡大し且つ一部の部品を取り除いた状態を示す底面図である。
【図１４】図１１に示すユニットの一部をさらに拡大し且つ一部の部品を取り除いた状態を示す底面図である。
【図１５】図１１に示すユニットの一部をさらに拡大し且つ一部の部品を取り除いた状態を示す底面図である。
【図１６】図７に示すユニットの一部を挿入方向側から見た図である。
【図１７】図７に示すユニットの一部を左側から見た図である。
【図１８】本実施の形態に係る光ディスク装置の構成要素であるカム部材の斜視図である。
【図１９】本実施の形態に係る光ディスク装置の構成要素であるカム部材の斜視図である。
【図２０】本実施の形態に係る光ディスク装置の構成要素であるファンクションレバーの斜視図である。
【図２１】本実施の形態に係る光ディスク装置の構成要素であるファンクションレバーの斜視図である。
【図２２】本実施の形態に係る光ディスク装置の構成要素であるファンクションレバーの斜視図である。
【図２３】本実施の形態に係る光ディスク装置の構成要素である回路基板の底面図である。
【図２４】図２３に示す回路基板の上面を示す平面図である。
【図２５】本実施の形態に係る光ディスク装置に直径１２ｃｍの光ディスクを挿入している状態を、トップカバーを外して上から見た平面図である。
【図２６】図２５に示す状態を、ボトムケースと回路基板を消去して示す底面図である。
【図２７】図２６に示す状態からカム部材を消去し且つ一部を拡大して示す底面図である。
【図２８】図２７に示す状態の一部をさらに拡大して示す底面図である。
【図２９】図２６に示す状態の一部をさらに拡大して示す底面図である。
【図３０】図２５に示す状態から光ディスクをさらに挿入し、ローディングモータを起動させる状態を示す平面図である。
【図３１】図３０に示す状態を、ボトムケースと回路基板を消去して示す底面図である。
【図３２】図３１に示す状態からカム部材を消去し且つ一部を拡大して示す底面図である。
【図３３】図３２に示す状態の一部をさらに拡大して示す底面図である。
【図３４】図３２に示す状態の一部をさらに拡大して示す底面図である。
【図３５】図３０に示す状態から光ディスクをさらに挿入し、光ディスクをセンタリングした状態を示す平面図である。
【図３６】図３５に示す状態を、ボトムケースと回路基板を消去して示す底面図である。
【図３７】図３６に示す状態からカム部材を消去し且つ一部を拡大して示す底面図である。
【図３８】図３５に示すユニットの一部を挿入方向側から見た図である。
【図３９】図３５に示すユニットの一部を左側から見た図である。
【図４０】直径１２ｃｍの光ディスクのプレイ可能状態を、トップカバーを外して上から見た平面図である。
【図４１】図４０に示すユニットからシャーシ、第３のディスクガイド及び第４のディスクガイドを消去した状態を一部分解してＹ方向側から示す斜視図である。
【図４２】図４０に示す状態を、ボトムケースと回路基板を消去して示す底面図である。
【図４３】図４２に示す状態からカム部材を消去し且つ一部を拡大して示す底面図である。
【図４４】図４２に示すユニットの一部を拡大して示す底面図である。
【図４５】図４０に示すユニットの一部を挿入方向側から見た図である。
【図４６】図４０に示すユニットの一部を左側から見た図である。
【図４７】直径１２ｃｍの光ディスクを排出させた状態を、トップカバーを外して上から見た平面図である。
【図４８】図４７に示す状態を、ボトムケースと回路基板を消去して示す底面図である。
【図４９】図４８に示す状態からカム部材を消去し且つ一部を拡大して示す底面図である。
【図５０】図４９に示す状態の一部をさらに拡大して示す底面図である。
【図５１】本実施の形態に係る光ディスク装置に直径８ｃｍの光ディスクを挿入している状態を、トップカバーを外して上から見た平面図である。
【図５２】図５１に示す状態から光ディスクをさらに挿入し、ローディングモータを起動させる状態を示す平面図である。
【図５３】図５２に示す状態を、ボトムケースと回路基板を消去して示す底面図である。
【図５４】図５３に示す状態からカム部材を消去し且つ一部を拡大して示す底面図である。
【図５５】図５４に示す状態の一部をさらに拡大して示す底面図である。
【図５６】図５９の一部を拡大して示す底面図である。
【図５７】図５２に示す状態から光ディスクをさらに挿入し、光ディスクをセンタリングした状態を示す平面図である。
【図５８】図５７に示すユニットからシャーシ、第３のディスクガイド及び第４のディスクガイドを消去した状態を一部分解して示す斜視図である。
【図５９】図５７に示す状態を、ボトムケースと回路基板を消去して示す底面図である。
【図６０】図５９に示す状態からカム部材を消去し且つ一部を拡大して示す底面図である。
【図６１】直径８ｃｍの光ディスクのプレイ可能状態を、トップカバーを外して上から見た平面図である。
【図６２】図６１に示す状態を、ボトムケースと回路基板を消去して示す底面図である。
【図６３】図６２に示す状態の一部を拡大して示す底面図である。
【図６４】直径８ｃｍの光ディスクを排出させた状態を、トップカバーを外して上から見た平面図である。
【図６５】図６４に示す状態を、ボトムケースと回路基板を消去して示す底面図である。
【図６６】図６５に示す状態からカム部材を消去し且つ一部を拡大して示す底面図である。
【符号の説明】
【００９４】
１…光ディスク装置、  １０…筐体、  ２０…シャーシ、  ３０…トラバースユニット、３１…メカデッキ部材、  ４０…ローディングユニット、  ４１…第１のディスクガイド、４２…第２のディスクガイド、  ４３…第３のディスクガイド、４４…第４のディスクガイド、  ４５…ファンクションレバー、  ４７…カム部材、  ２７０…コントロールアーム、  １０３…インサートローラ、  ２０１…ガイドレバー、  ３０３…イジェクトローラ、  ４０３…ディスクローラ、  Ｄ８…直径８ｃｍの光ディスク、  Ｄ１２…直径１２ｃｍの光ディスク
【図１】
2010055717.tif 000003
【図２】
2010055717.tif 000004
【図３】
2010055717.tif 000005
【図４】
2010055717.tif 000006
【図５】
2010055717.tif 000007
【図６】
2010055717.tif 000008
【図７】
2010055717.tif 000009
【図８】
2010055717.tif 000010
【図９】
2010055717.tif 000011
【図１０】
2010055717.tif 000012
【図１１】
2010055717.tif 000013
【図１２】
2010055717.tif 000014
【図１３】
2010055717.tif 000015
【図１４】
2010055717.tif 000016
【図１５】
2010055717.tif 000017
【図１６】
2010055717.tif 000018
【図１７】
2010055717.tif 000019
【図１８】
2010055717.tif 000020
【図１９】
2010055717.tif 000021
【図２０】
2010055717.tif 000022
【図２１】
2010055717.tif 000023
【図２２】
2010055717.tif 000024
【図２３】
2010055717.tif 000025
【図２４】
2010055717.tif 000026
【図２５】
2010055717.tif 000027
【図２６】
2010055717.tif 000028
【図２７】
2010055717.tif 000029
【図２８】
2010055717.tif 000030
【図２９】
2010055717.tif 000031
【図３０】
2010055717.tif 000032
【図３１】
2010055717.tif 000033
【図３２】
2010055717.tif 000034
【図３３】
2010055717.tif 000035
【図３４】
2010055717.tif 000036
【図３５】
2010055717.tif 000037
【図３６】
2010055717.tif 000038
【図３７】
2010055717.tif 000039
【図３８】
2010055717.tif 000040
【図３９】
2010055717.tif 000041
【図４０】
2010055717.tif 000042
【図４１】
2010055717.tif 000043
【図４２】
2010055717.tif 000044
【図４３】
2010055717.tif 000045
【図４４】
2010055717.tif 000046
【図４５】
2010055717.tif 000047
【図４６】
2010055717.tif 000048
【図４７】
2010055717.tif 000049
【図４８】
2010055717.tif 000050
【図４９】
2010055717.tif 000051
【図５０】
2010055717.tif 000052
【図５１】
2010055717.tif 000053
【図５２】
2010055717.tif 000054
【図５３】
2010055717.tif 000055
【図５４】
2010055717.tif 000056
【図５５】
2010055717.tif 000057
【図５６】
2010055717.tif 000058
【図５７】
2010055717.tif 000059
【図５８】
2010055717.tif 000060
【図５９】
2010055717.tif 000061
【図６０】
2010055717.tif 000062
【図６１】
2010055717.tif 000063
【図６２】
2010055717.tif 000064
【図６３】
2010055717.tif 000065
【図６４】
2010055717.tif 000066
【図６５】
2010055717.tif 000067
【図６６】
2010055717.tif 000068